(57)【要約】【課題】大型化を抑制しつつ、無線通信周波数帯域の広域化に対応可能な電子機器を提供する。【解決手段】ポータブルコンピュータ１は、電子部品を収容するケース１０を有する。ケース１０は、対向する前面部１０ａ及び後面部１０ｂと、上側面部１０ｃ、左側面部１０ｄ、下側面部１０ｅ，及び右側面部１０ｆとを有する。上側面部１０ｃ、左側面部１０ｄ、下側面部１０ｅ，及び右側面部１０ｆのうち下側面部１０ｅ及び右側面部１０ｆが第３側面部材１３で構成されている。第３側面部材１３の内面にアンテナ２０が設けられている。【選択図】図１
2018125734.tif 000002
【特許請求の範囲】
【請求項１】
電子部品を収容するケースを有する電子機器であって、
前記ケースは、対向する一対の主面部と複数の側面部とを有し、
前記複数の側面部のうち少なくとも２つの隣り合う側面部が単一の側面部材で構成され、
前記側面部材の内面にアンテナが設けられている、
電子機器。
【請求項２】
前記単一の側面部材に含まれる側面部の各々は、少なくとも一方の主面部側に湾曲部を有し、
前記アンテナの少なくとも一部は、前記湾曲部の内面に設けられている、
請求項１に記載の電子機器。
【請求項３】
前記単一の側面部材に含まれる側面部の各々は、前記一対の主面部に垂直な縦面部を有するとともに、隣り合う縦面部同士が接続され、
前記隣り合う縦面部同士が接続される部分は、曲面形状を有する第１の曲面部で構成され、
前記アンテナの少なくとも一部は、前記第１の曲面部の内面に設けられている、
請求項１または２に記載の電子機器。
【請求項４】
隣り合う湾曲部同士が接続され、
前記隣り合う湾曲部同士が接続される部分は、曲面形状を有する第２の曲面部で構成され、
前記アンテナの少なくとも一部は、前記第２の曲面部の内面に設けられている、
請求項２に記載の電子機器。
【請求項５】
前記アンテナは、異なる周波数帯域用の複数のアンテナを含む、
請求項１から４のいずれか１項に記載の電子機器。
【請求項６】
前記アンテナは、前記側面部材の内面にレーザ直接構造化により形成されている、
請求項１から５のいずれか１項に記載の電子機器。
【発明の詳細な説明】
【技術分野】
【０００１】
本開示は、アンテナを有する電子機器に関する。
【背景技術】
【０００２】
特許文献１は、自動車用ワイヤレスドアロック装置において、合成樹脂製のハウジングの底部に銅箔製のアンテナを印刷した構成を開示している。
【先行技術文献】
【特許文献】
【０００３】
【特許文献１】特開２００４−１２９０１０号公報
【発明の概要】
【発明が解決しようとする課題】
【０００４】
スマートフォンやポータブルコンピュータなどの電子機器では、種々の無線通信規格用のアンテナが設けられているが、無線通信用の周波数帯域は広域化が進んでいる。
【０００５】
本開示は、大型化を抑制しつつ、無線通信周波数帯域の広域化に対応可能な電子機器を提供する。
【課題を解決するための手段】
【０００６】
本開示の電子機器は、電子部品を収容するケースを有する。
ケースは、対向する一対の主面部と複数の側面部とを有する。
複数の側面部のうち少なくとも２つの隣り合う側面部が単一の側面部材で構成されている。
側面部材の内面にアンテナが設けられている。
【発明の効果】
【０００７】
本開示では、電子機器のケースの側面部材の内面にアンテナを設けているので、ケース内の電子部品の収容スペースに与える影響が少ない。また、隣り合う少なくとも２つの側面部を単一の側面部材で構成したので、これらの少なくとも２つの側面部の内面を連続的に使用してアンテナを配置できる。そのため、複数の側面の各々が個別の部材で構成されている場合と比べ、ケースの寸法が同じ場合でも、アンテナの配置可能領域を増大できる。よって、大型化を抑制しつつ対応周波数帯域を広域化できる。
【図面の簡単な説明】
【０００８】
【図１】実施形態１におけるポータブルコンピュータの外観を示す斜視図である。
【図２】ポータブルコンピュータの断面を模式的に示した図である。
【図３】第３側面部材を内面側から見た斜視図である。
【図４】第３側面部材の右側面部の断面図（図３のＡ−Ａ線による断面）である。
【図５】比較例のポータブルコンピュータの外観を示す斜視図である。
【発明を実施するための形態】
【０００９】
以下、適宜図面を参照しながら、実施の形態を詳細に説明する。但し、必要以上に詳細な説明は省略する場合がある。例えば、既によく知られた事項の詳細説明や実質的に同一の構成に対する重複説明を省略する場合がある。これは、以下の説明が不必要に冗長になるのを避け、当業者の理解を容易にするためである。
【００１０】
なお、発明者は、当業者が本開示を十分に理解するために添付図面および以下の説明を提供するのであって、これらによって特許請求の範囲に記載の主題を限定することを意図するものではない。
【００１１】
（実施の形態１）
以下、図面を参照して実施の形態１を説明する。
【００１２】
［１．構成］
［１−１．概要］
図１は、実施形態１におけるポータブルコンピュータの外観を示す斜視図である。図２は、ポータブルコンピュータの断面を模式的に示した図である。ポータブルコンピュータ１は、電子機器の一例である。ポータブルコンピュータ１のケース１０の内部には、中央演算処理装置（ＣＰＵ）、メモリ、ソリッドステートドライブ（ＳＳＤ）、画像プロセッサ、通信モジュール等、種々の電子部品が収容されている。なお、図１以後の図面では前後、左右、上下の方向表示を適宜付している。この方向表示は、ポータブルコンピュータ１を一般的な利用方法で利用した場合における方向を示したものであり、以後において説明及び理解の容易のためこの方向表示を用いて説明を行うが、実使用時等においてこれらで示した方向に拘束されるものではない。なお、方向表示における左右方向は装置幅方向、前後方向は装置厚み方向、上下方向は装置上下方向に相当し、読み替えることが可能である。
【００１３】
［１−２．ケース及びアンテナの構造］
ケース１０は、略直方体状の形状を有する。ケース１０は、前面部１０ａ（一方の主面部）、後面部１０ｂ（他方の主面部）、上側面部１０ｃ、左側面部１０ｄ、下側面部１０ｅ，及び右側面部１０ｆ（複数の側面部）を有する。前面部１０ａは前面部材１１で構成され、後面部１０ｂは後面部材１５で構成され、上側面部１０ｃは第２側面部材１４で構成され、左側面部１０ｄは第１側面部材１２で構成され、下側面部１０ｅ及び右側面部１０ｆは単一の第３側面部材１３で構成されている。
【００１４】
第１側面部材１２や第２側面部材１４の内側には、外部機器接続用のコネクタ（図示せず）が収容されており、第１側面部材１２や第２側面部材１４に設けられた蓋（図示せず）を開閉することで、コネクタにアクセス可能となっている。
【００１５】
第３側面部材１３は、上記のような蓋等は設けられていないが、内面１３ｉが、無線通信用のアンテナ２０の配置領域（アンテナ配置領域Ａｒ）として利用される。アンテナ２０は、使用周波数帯域が異なる第１アンテナ２１、第２アンテナ２２、及び第３アンテナ２３を含む。
【００１６】
図３は、第３側面部材１３を内面１３ｉ側から見た斜視図である。図４は、第３側面部材１３の右側面部１０ｆの断面図（図３のＡ−Ａ線による断面）である。なお、第３側面部材１３の下側面部１０ｅの断面は右側面部１０ｆの断面とほぼ同じであるため、図示を省略する。第３側面部材１３は、電波透過性を有する樹脂製であり、射出成形により形成されている。右側面部１０ｆと下側面部１０ｅとが一体的に射出成形により形成されることで、第３側面部材１３の内面１３ｉは、右側面部１０ｆと下側面部１０ｅとの間に継ぎ目がない連続した面となっている。
【００１７】
第１アンテナ２１、第２アンテナ２２、及び第３アンテナ２３は、上記のような第３側面部材１３の内面１３ｉに、レーザ直接構造化（ＬＤＳ）技術を利用した金属めっきにより形成されている。
【００１８】
第１アンテナ２１、第２アンテナ２２、及び第３アンテナ２３は、概ね右側面部１０ｆ及び下側面部１０ｅの内面１３ｉの長手方向に沿って延びている。第１アンテナ２１、第２アンテナ２２、及び第３アンテナ２３は、種々の無線ＬＡＮ規格やＬＴＥ規格等に基づく使用周波数帯域に対応可能に構成されている。
【００１９】
第３側面部材１３の右側面部１０ｆは、前面部１０ａ及び後面部１０ｂ側の部分が湾曲するように構成され、縦面部１０ｆａと、湾曲部１０ｆｂ，１０ｆｃとを有する。縦面部１０ｆａは、前面部１０ａに垂直である。湾曲部１０ｆｂは、縦面部１３ｆａと前面部１０ａとの間で円弧状に延びる曲面であり、円弧状の断面を有する。湾曲部１０ｆｃは、縦面部１３ｆａと後面部１０ｂとの間で円弧状に延びる曲面であり、円弧状の断面を有する。
【００２０】
第３側面部材１３の下側面部１０ｅは、前面部１０ａ及び後面部１０ｂ側の部分が湾曲するように構成され、縦面部１０ｅａと、湾曲部１０ｅｂ，１０ｅｃとを有する。縦面部１０ｅａは、前面部１０ａに垂直である。湾曲部１０ｅｂは、縦面部１３ｅａと前面部１０ａとの間で円弧状に延びる曲面であり、円弧状の断面を有する。湾曲部１０ｅｃは、縦面部１３ｅａと後面部１０ｂとの間で円弧状に延びる曲面であり、円弧状の断面を有する。
【００２１】
第３側面部材１３の右側面部１０ｆ及び下側面部１０ｅのうち、これらが接続される部分である接続部１３ｃは、曲面部１３ｃａ，１３ｃｂ，１３ｃｃで構成されている。曲面部１３ｃａは、右側面部１０ｆの縦面部１０ｆａと下側面部１０ｅの縦面部１０ｅａとを滑らかに繋ぐ（接続する）曲面形状を有する。曲面部１３ｃｂは、右側面部１０ｆの湾曲部１０ｆｂと下側面部１０ｅの湾曲部１０ｅｂと曲面部１３ｃａとを滑らかに繋ぐ（接続する）曲面形状を有する。曲面部１３ｃｃは、右側面部１０ｆの湾曲部１０ｆｃと下側面部１０ｅの湾曲部１０ｅｃと曲面部１３ｃａとを滑らかに繋ぐ（接続する）曲面形状を有する。
【００２２】
第１アンテナ２１は、湾曲部１０ｆｂ，１０ｅｂ（接続部１３ｃの曲面部１３ｃｂを含む）の内面１３ｉに形成されている。第２アンテナ２２は、縦面部１０ｆａ，１０ｅａ（接続部１３ｃの曲面部１３ｃａを含む）の内面１３ｉに形成されている。第３アンテナ２３は、縦面部１０ｆａ，１０ｅａ、湾曲部１０ｆｃ，１０ｅｃ（接続部１３ｃの曲面部１３ｃａ，１３ｃｃを含む）の内面１３ｉに形成されている。
【００２３】
接続部１３ｃを、曲面形状を有する曲面部１３ｃａ，１３ｃｂ，１３ｃｃで構成したことで、第１アンテナ２１、第２アンテナ２２、及び第３アンテナ２３の曲げの曲率を小さくできる。そのため、直交する右側面部１０ｆ及び下側面部１０ｅに第１アンテナ２１、第２アンテナ２２、及び第３アンテナ２３を設けた場合でも、良好なアンテナ特性を得ることができる。
【００２４】
図５は、比較例のポータブルコンピュータの外観を示す斜視図である。比較例のポータブルコンピュータ１００のケース１１０は、左側面部１１０ｄを構成する第１側面部材１１２、上側面部１１０ｃを構成する第２側面部材１１４、右側面部１１０ｆを構成する第３側面部材１１３、及び下側面部１１０ｅを構成する第４側面部材１１５を有している。比較例のケース１１０では、実施の形態１のケース１０とは異なり、右側面部１１０ｆを構成する部材と下側面部１１０ｅを構成する部材とが個別に設けられている。
【００２５】
ここで、レーザ直接構造化（ＬＤＳ）技術では複数の部材にまたがってアンテナを形成することは困難である。そのため、比較例のケース１１０の場合、アンテナを形成することができる領域Ａｒｄは、例えば、図５に示すように第３側面部材１１３の内面のみとなり、十分な面積や長さを得ることができない。
【００２６】
本開示の発明者は、これについて種々の検討を行い、隣接する下側面部１０ｅと右側面部１０ｆとを単一の第３側面部材１３で構成するとともに、第３側面部材１３の内面１３ｉにアンテナ２０を設けるという構成の知見を得た。これにより、複数の側面部が個別の部材で構成されている場合と比べ大きなアンテナ配置領域Ａｒを構成できる。したがって、無線通信において使用可能な周波数帯域を広域化できる。また、ケース１０内の空間を、電子部品類を配置するための空間として有効に利用できる。
【００２７】
また、本実施形態では、第３側面部材１３の右側面部１０ｆ及び下側面部１０ｅにおける、前面部１０ａ及び後面部１０ｂ側の部分（湾曲部１０ｆｂ，１０ｆｃ，１０ｅｂ，１０ｅｃ）を湾曲させたことで、例えば縦面部１０ｆａ，１０ｅａを直線的に延長した場合よりも、第３側面部材１３の内面１３ｉの面積を増大させることができる。つまり、アンテナ配置領域Ａｒを拡張し、より多くのアンテナを配置することができる。
【００２８】
［２．効果等］
本実施の形態のポータブルコンピュータ１（電子機器の一例）は、電子部品を収容するケース１０を有する。
ケース１０は、対向する前面部１０ａ及び後面部１０ｂ（一対の主面部）と、上側面部１０ｃ、左側面部１０ｄ、下側面部１０ｅ，及び右側面部１０ｆ（複数の側面部）とを有する。
上側面部１０ｃ、左側面部１０ｄ、下側面部１０ｅ，及び右側面部１０ｆのうち下側面部１０ｅ及び右側面部１０ｆ（少なくとも２つの隣り合う側面部）が第３側面部材１３（単一の側面部材）で構成されている。
第３側面部材１３の内面１３ｉにアンテナ２０が設けられている。
【００２９】
これにより、ケース１０内のスペースを電子部品の収容スペースとして有効に利用できる。また、隣り合う下側面部１０ｅ及び右側面部１０ｆを単一の第３側面部材１３で構成したので、これらの下側面部１０ｅ及び右側面部１０ｆの内面１３ｉを連続的に使用してアンテナ２０を設けることができる。そのため、上記複数の側面部の各々が個別の部材で構成されている場合と比べ、大きなアンテナ配置領域Ａｒを構成できる。したがって、無線通信において使用可能な周波数帯域を広域化できる。また、ケース１０内の空間を、電子部品類を配置するための空間として有効に利用できる。
【００３０】
また、本実施の形態のポータブルコンピュータ１において、単一の第３側面部材１３に含まれる右側面部１０ｆ及び下側面部１０ｅの各々は、前面部１０ａ及び後面部１０ｂ側（少なくとも一方の主面部側）に、湾曲部１０ｆｂ，１０ｆｃ，１０ｅｂ，１０ｅｃを有する。
アンテナ２０の少なくとも一部は、湾曲部１０ｆｂ，１０ｆｃ，１０ｅｂ，１０ｅｃの内面１３ｉに設けられている。
【００３１】
これにより、湾曲部１０ｆｂ，１０ｆｃ，１０ｅｂ，１０ｅｃが設けられていない場合と比べ、第３側面部材１３の内面１３ｉの面積を増大させ、アンテナ配置領域Ａｒを拡張することができる。
【００３２】
また、本実施の形態のポータブルコンピュータ１において、単一の第３側面部材１３に含まれる右側面部１０ｆ及び下側面部１０ｅの各々は、前面部１０ａ及び後面部１０ｂ（一対の主面部）に垂直な縦面部１０ｅａ，１０ｆａを有するとともに、隣り合う縦面部１０ｅａ，１０ｆａ同士が接続されている。
隣り合う縦面部１０ｅａ，１０ｆａ同士が接続される部分は、曲面形状を有する曲面部１３ｃａ（第１の曲面部）で構成されている。
アンテナ２０の少なくとも一部は、曲面部１３ｃａ（第１の曲面部）の内面１３ｉに設けられている。
【００３３】
これにより、アンテナ２０の急激な折れ曲がりを抑制し、良好なアンテナ特性を得ることができる。
【００３４】
また、本実施の形態のポータブルコンピュータ１において、隣り合う湾曲部１０ｅｂ，１０ｆｂ同士が接続され，隣り合う湾曲部１０ｅｃ，１０ｆｃ同士が接続されている。
隣り合う湾曲部１０ｅｂ，１０ｆｂ同士が接続される部分は、曲面形状を有する曲面部１３ｃｂ（第２の曲面部）で構成され、隣り合う湾曲部１０ｅｃ，１０ｆｃ同士が接続される部分は、曲面形状を有する曲面部１３ｃｃ（第２の曲面部）で構成されている。
アンテナ２０の少なくとも一部は、曲面部１３ｃｂ，１３ｃｃ（第２の曲面部）の内面１３ｉに設けられている。
【００３５】
これにより、アンテナ２０の急激な折れ曲がりを抑制し、良好なアンテナ特性を得ることができる。
【００３６】
また、本実施の形態のポータブルコンピュータ１において、アンテナ２０は、異なる周波数帯域用の第１アンテナ２１、第２アンテナ２２、及び第３アンテナ２３（複数のアンテナ）を含む。
【００３７】
これにより、ポータブルコンピュータ１において、種々の周波数帯域を利用する種々の通信規格の無線通信を行うことができる。
【００３８】
また、本実施の形態のポータブルコンピュータ１において、アンテナ２０は、第３側面部材１３の内面１３ｉにレーザ直接構造化により形成されている。
【００３９】
これにより、第３側面部材１３の内面１３ｉに寸法精度等に優れたアンテナ２０を形成できる。また、アンテナ２０が内面１３ｉから突出しないため、ケース１０内のスペースを電子部品の収容スペースとしてより一層有効に利用できる。
【００４０】
（他の実施形態）
以上のように、本出願において開示する技術の例示として、実施の形態１を説明した。しかしながら、本開示における技術は、これに限定されず、適宜、変更、置き換え、付加、省略などを行った実施の形態にも適用可能である。また、上記実施の形態１で説明した各構成要素を組み合わせて、新たな実施の形態とすることも可能である。そこで、以下、他の実施の形態を例示する。
【００４１】
（１）前記実施の形態では、ケース１０は、上側面部１０ｃ、左側面部１０ｄ、下側面部１０ｅ，及び右側面部１０ｆの４個の側面部を備え、これらの側面部のうち隣り合う２個の下側面部１０ｅ及び右側面部１０ｆを単独で構成する第３側面部材１３を備えている。しかし、本開示において、ケースが有する側面部の数は、３個あるいは５個以上でもよい。また、これらの側面部のうちの隣り合う少なくとも２つ以上の側面部を単独の側面部材で構成し、この側面部材の内面にアンテナを設けてもよい。
【００４２】
（２）前記実施の形態では、右側面部１０ｆ及び下側面部１０ｅ（隣り合う側面部）において、前面部１０ａ及び後面部１０ｂ側の両方に、湾曲部１０ｆｂ，１０ｆｃ，１０ｅｂ，１０ｅｃが設けられている。しかし、本開示では、隣り合う側面部においていずれか一方の主面部側にのみ湾曲部を設けてもよい。
【００４３】
以上のように、本開示における技術の例示として、実施の形態を説明した。そのために、添付図面および詳細な説明を提供した。したがって、添付図面および詳細な説明に記載された構成要素の中には、課題解決のために必須な構成要素だけでなく、上記技術を例示するために、課題解決のためには必須でない構成要素も含まれ得る。そのため、それらの必須ではない構成要素が添付図面や詳細な説明に記載されていることをもって、直ちに、それらの必須ではない構成要素が必須であるとの認定をするべきではない。また、上述の実施の形態は、本開示における技術を例示するためのものであるから、特許請求の範囲またはその均等の範囲において種々の変更、置き換え、付加、省略などを行うことができる。
【産業上の利用可能性】
【００４４】
本開示は、アンテナを有する電子機器において広く利用可能である。
【符号の説明】
【００４５】
１  ポータブルコンピュータ
１０  ケース
１０ａ  前面部
１０ｂ  後面部
１０ｃ  上側面部
１０ｄ  左側面部
１０ｅ  下側面部
１０ｅａ  縦面部
１０ｅｂ，１０ｅｃ  湾曲部
１０ｆ  右側面部
１０ｆａ  縦面部
１０ｆｂ，１０ｆｃ  湾曲部
１１  前面部材
１２  第１側面部材
１３  第３側面部材
１３ｃ  接続部
１３ｃａ，１３ｃｂ，１３ｃｃ  曲面部
１３ｉ  内面
１４  第２側面部材
１５  後面部材
２０  アンテナ
２１  第１アンテナ
２２  第２アンテナ
２３  第３アンテナ
Ａｒ  アンテナ配置領域
【図１】
2018125734.tif 000003
【図２】
2018125734.tif 000004
【図３】
2018125734.tif 000005
【図４】
2018125734.tif 000006
【図５】
2018125734.tif 000007